(57)【要約】【課題】記録予約を実行するために必要な記録媒体の残容量の不足を確実にユーザに知らせることができる記録残容量表示装置及び記録残容量表示方法を提供する。【解決手段】残容量算出部４０１は、予約３４３０に対応した記憶部３４の残容量とディスク消費容量３４３３との差分としてディスク残容量３４３４を新たに算出し、ディスク残容量情報３４３を更新して、記憶部３４に記憶させる。また、制御部３３は、ディスク残容量不足報告期日が来たとき、ディスク残容量情報３４３と検出されたゼロになる日時とに基づいて、ディスク残容量表示情報を作成し、出力部３７からモニタ２に出力し、モニタ２は、ディスク残容量表示６０とグラフとを表示画面２０に表示する。【選択図】図３
2008140435.tif 000002
【特許請求の範囲】
【請求項１】
番組を受信する受信部と、
前記番組を記録予約する記録予約部と、
前記記録予約した前記番組の番組データを記録する記録部と、
所定の画像を表示する表示部と、
前記記録部の記録残容量を予め定められたタイミングで前記表示部に表示させる制御部とを有することを特徴とする記録残容量表示装置。
【請求項２】
前記表示部は、第１の表示部及び第２の表示部から選択された１つの表示部であり、前記制御部は、前記記録残容量を前記予め定められたタイミングとして前記番組の記録予約時に前記１つの表示部に表示させることを特徴とする請求項１に記載の記録残容量表示装置。
【請求項３】
前記表示部は、第１の表示部及び第２の表示部から選択された１つの表示部であり、前記制御部は、前記記録残容量を前記予め定められたタイミングとして前記記録残容量がゼロになる所定の時間前に前記１つの表示部に表示させることを特徴とする請求項１に記載の記録残容量表示装置。
【請求項４】
前記表示部は、第１の表示部及び第２の表示部から選択された１つの表示部であり、前記制御部は、前記記録残容量の変化をグラフ化するグラフ情報を作成し、前記グラフ情報に基づいて前記記録残容量の変化をグラフとして前記１つの表示部に表示させることを特徴とする請求項１に記載の記録残容量表示装置。
【請求項５】
前記制御部は、前記番組を記録するときの記録モードに基づいて、前記記録残容量を算出することを特徴とする請求項１に記載の記録残容量表示装置。
【請求項６】
番組を受信する受信ステップと、
前記番組を記録予約する記録予約ステップと、
前記記録予約した前記番組の番組データを記録部に記録させる記録ステップと、
所定の画像を表示部に表示させる表示ステップと、
前記記録部の記録残容量を予め定められたタイミングで前記表示部に表示させるように前記表示ステップに指示する制御ステップとを有することを特徴とする記録残容量表示方法。
【請求項７】
前記表示部は、第１の表示部及び第２の表示部から選択された１つの表示部であり、前記制御ステップは、前記記録残容量を前記予め定められたタイミングとして前記番組の記録予約時に前記１つの表示部に表示させるように前記表示ステップに指示することを特徴とする請求項６に記載の記録残容量表示方法。
【請求項８】
前記表示部は、第１の表示部及び第２の表示部から選択された１つの表示部であり、前記制御ステップは、前記記録残容量を前記予め定められたタイミングとして前記記録残容量がゼロになる所定の時間前に前記１つの表示部に表示させるように前記表示ステップに指示することを特徴とする請求項６に記載の記録残容量表示方法。
【請求項９】
前記表示部は、第１の表示部及び第２の表示部から選択された１つの表示部であり、前記制御ステップは、前記記録残容量の変化をグラフ化するグラフ情報を作成し、前記グラフ情報に基づいて前記記録残容量の変化をグラフとして前記１つの表示部に表示させるように前記表示ステップに指示することを特徴とする請求項６に記載の記録残容量表示方法。
【請求項１０】
前記制御ステップは、前記番組を記録するときの記録モードに基づいて、前記記録残容量を算出することを特徴とする請求項６に記載の記録残容量表示方法。
【発明の詳細な説明】
【技術分野】
【０００１】
本発明は、記録残容量表示装置及び記録残容量表示方法に関し、特に予約された記録が実行できなくなる日時を表示する記録残容量表示装置及び記録残容量表示方法に関する。
【背景技術】
【０００２】
従来の技術として、タイマ予約した番組の記録が、記録媒体の残容量から何日先まで記憶可能であるかを算出し、その日時を表示するタイマ予約装置がある（例えば、特許文献１参照）。
【０００３】
このタイマ予約装置によると、タイマ予約された番組が記録媒体に記録された後、記録媒体の残容量が減少することによって生じる、タイマ予約した残りの番組が記録できない等の不都合を改善することができる。
【特許文献１】特開２００１−１６０２４８号公報
【発明の開示】
【発明が解決しようとする課題】
【０００４】
しかし、従来のタイマ予約装置は、タイマ予約を実行するために必要な記録媒体の残容量が不足していることを示す表示が、ユーザの表示指示があったとき、タイマ予約設定画面と異なった画面に表示されるので、ユーザは、タイマ予約を実行できないことに気づかない可能性があった。
【０００５】
従って、本発明の目的は、記録予約を実行するために必要な記録媒体の残容量の不足を確実にユーザに知らせることができる記録残容量表示装置及び記録残容量表示方法を提供することにある。
【課題を解決するための手段】
【０００６】
（１）本発明によれば、番組を受信する受信部と、前記番組を記録予約する記録予約部と、前記記録予約した前記番組の番組データを記録する記録部と、所定の画像を表示する表示部と、前記記録部の記録残容量を予め定められたタイミングで前記表示部に表示させる制御部とを有することを特徴とする記録残容量表示装置を提供する。
【０００７】
この構成によれば、記録予約を実行するために必要な記録媒体の残容量の不足を確実にユーザに知らせることができる。
【０００８】
（２）本発明によれば、番組を受信する受信ステップと、前記番組を記録予約する記録予約ステップと、前記記録予約した前記番組の番組データを記録部に記録させる記録ステップと、所定の画像を表示部に表示させる表示ステップと、前記記録部の記録残容量を予め定められたタイミングで前記表示部に表示させるように前記表示ステップに指示する制御ステップとを有することを特徴とする記録残容量表示方法を提供する。
【０００９】
この構成によれば、記録予約を実行するために必要な記録媒体の残容量の不足を確実にユーザに知らせることができる。
【発明の効果】
【００１０】
本発明によれば、記録予約を実行するために必要な記録媒体の残容量の不足を確実にユーザに知らせることができる。
【発明を実施するための最良の形態】
【００１１】
（録画再生システムの構成）
図１は、本発明の実施の形態に係る録画再生システムの概略図である。一例として、記録残容量表示装置としての録画再生装置を有する録画再生システムについて説明する。
【００１２】
録画再生システム１は、表示部としてのモニタ２と、録画再生装置３と、録画再生装置３に設けられた番組を受信するアンテナ４と、ネットワークの集合体であるインターネット５とから構成される。
【００１３】
モニタ２は、画像を表示する表示画面２０を有し、録画再生装置３は、録画予約日時等が表示される情報表示部３６を有する。
【００１４】
図２は、本発明の実施の形態に係る録画再生装置のブロック図である。録画再生装置３は、アンテナ４で受信した放送波を処理する受信部３０と、記録予約としての録画予約や番組の録画・再生等の指示を入力する入力部３１と、インターネット５等と通信する通信部３２と、各部を統括的に制御する制御部３３と、各種情報を記憶する録画部としての記憶部３４と、受信した番組を録画・再生する録画再生部３５と、録画した番組を再生している時間位置等を表示する情報表示部３６と、モニタ２等に録画再生部３５で再生した番組データとしての録画データを出力する出力部３７とを有する。
【００１５】
記憶部３４は、一例として、４０Ｇｂｙｔｅの容量を有するＨＤＤ（Ｈａｒｄ  Ｄｉｓｋ  Ｄｒｉｖｅ）によって各種データを記憶し、録画再生を実行するためのソフトウェア３４０と、録画された番組のデータである録画データ３４１と、予約された番組の内容である録画予約情報３４２と、記憶部３４の残容量を表すディスク残容量情報３４３と、記憶部３４の記録残容量としての残容量がゼロになる日時をユーザに表示する日時情報である報告期日情報３４４とを有する。
【００１６】
また、記憶部３４は、磁気テープ、半導体メモリ、光ディスク、磁気ディスク等の記録媒体でも良いし、これに限定されない。
【００１７】
図３は、本発明の実施の形態に係る制御部によって実行されるソフトウェアのブロック図である。記憶部３４に記憶されるソフトウェア３４０は、オペレーティングシステム４１０と、アプリケーション群４０００と、ドライバ群４２００とから構成され、オペレーティングシステム４１０は、アプリケーション群４０００とドライバ群４２００とを統括して処理し、ドライバ群４２００の各ドライバには、ハードウェアとしてのデバイス群４３００が接続されている。ソフトウェア３４０は、制御部３３によって記憶部３４から読出され、実行される。
【００１８】
アプリケーション群４０００は、入力部３１で入力された番組の録画予約を処理する記録予約部としての録画予約部４００と、記憶部３４の残容量を算出する残容量算出部４０１とを有する。
【００１９】
ドライバ群４２００は、受信部３０を管理する受信ドライバ４２０と、入力部３１を管理する入力ドライバ４２１と、通信部３２を管理する通信ドライバ４２２と、記憶部３４を管理するメディアドライバ４２３と、録画再生部３５を管理するコーデックドライバ４２４と、情報表示部３６を管理する表示ドライバ４２５と、出力部３７を管理する出力ドライバ４２６とを有する。
【００２０】
図４は、本発明の実施の形態に係る録画予約情報の一例を表す図である。録画予約情報３４２は、予約した順番に付加された番号である予約番号３４２０と、録画したい番組が放送される放送局を表すチャンネル３４２１と、録画された番組のタイトルである録画タイトル名３４２２と、番組が放送される日時を表す予約形態３４２３と、記録モードとしての録画モード３４２４とを有する。
【００２１】
一例として、録画予約情報３４２の予約番号３４２０「予約Ｎｏ．３」は、放送されるチャンネル３４２１が１２ｃｈ、録画タイトル３４２２がタイトルＣ、予約形態３４２２が毎日の２２：００〜２３：００、録画モード３４２４がＳＰモード、で番組を録画することを表している。
【００２２】
録画モード３４２４は、録画する番組の画質に関係し、一例として、ＳＰモードは、ビット・レートが８Ｍｂｐｓ（Ｍｅｇａ  ｂｉｔ  ｐｅｒ  ｓｅｃｏｎｄ）であるとする。一般に、ビット・レートが大きくなれば、録画された番組の画質はきれいになるが、録画データ３４１は大きくなる。
【００２３】
図５は、本発明の実施の形態に係るディスク残容量情報の一例を表す図である。ディスク残容量情報３４３は、録画予約が実行される順番に付加される数字である予約３４３０と、どの録画予約情報３４２に基づいて録画予約されたかを表す参照予約番号３４３１と、録画予約が実行される日時である予約実行日時３４３２と、録画予約された番組の録画データ３４１を記憶部３４に記憶するときに必要な容量を表すディスク消費容量３４３３と、記憶部３４の残容量であるディスク残容量３４３４とを有する。
【００２４】
図６は、本発明の実施の形態に係るモニタに録画予約の一覧を表示させた一例を表す図である。録画予約された番組を、モニタ２の表示画面２０に一覧表示させた場合を表している。
【００２５】
表示画面２０は、記憶部３４のディスク残容量を表すディスク残容量表示６０と、録画予約された番組の一覧である予約番組一覧６１とを表示している。
【００２６】
ディスク残容量表示６０は、表示させた日の日時と、記憶部３４があと何時間録画可能であるかを時間で表したディスク残容量と、ディスク残容量がゼロになる予定の日時を表示するディスク残容量ゼロ予定日時とを表示している。
【００２７】
予約番組一覧６１において、斜線が入っている「予約１０」、「予約１１」、「予約１２」は、記憶部３４の残容量が不足するため、録画予約を実行できないことを表している。
【００２８】
図７は、本発明の実施の形態に係るディスク残容量のグラフ表示の一例を表す図である。縦軸はディスク容量（Ｇｂｙｔｅ）、横軸は日時（年／月／日）を表し、ディスク残容量表示６０を同時に表示した場合を表している。
【００２９】
（録画再生システムの動作）
以下に本発明の実施の動作を図１〜図７の図を参照して、図８及び図９のフローチャートに従って説明する。なお、録画再生装置３は、購入されたばかりで、初めて録画予約するとする。
【００３０】
ユーザは、録画予約するために、リモコン（図示せず）または、録画再生装置３の入力部３１を操作する。制御部３３は、入力部３１からの入力情報に基づいて、録画予約部４００に録画予約の登録システムを起動し、録画予約設定画面を出力部３７からモニタ２に表示させるように指示情報を送信する。
【００３１】
ユーザは、モニタ２の表示画面２０に表示された録画予約設定画面を見ながらリモコンまたは、入力部３１を操作して、一例として、図４における予約番号３４２０の「予約Ｎｏ．１」から「予約Ｎｏ．３」の録画予約を登録する（Ｓ１）。
【００３２】
制御部３３は、入力部３１からの入力情報を録画予約部４００に送信し、録画予約部４００は、入力情報に基づいて、録画予約情報３４２を作成し、また、録画予約情報３４２に基づいて、ディスク残容量情報３４３を生成する。このとき、ディスク消費容量３４３３とディスク残容量３４３４は、値が入力されていない状態であるとする。
【００３３】
制御部３３は、録画予約情報３４２を記憶部３４に記憶させる。また制御部３３は、ディスク残容量３４３４を残容量算出部４０１に送信する。
【００３４】
ここで、残容量算出部４０１は、以下の方法で、ディスク消費容量３４３３とディスク残容量３４３４を算出する。
【００３５】
録画予約された番組の録画データ３４１の容量Ｖは、ビット・レートと時間の積で算出することができる。ビット・レートは、録画モード３４２４によって変わり、単位がｂｐｓで、１秒間に送信可能なビットの数を表している。ビットとは、コンピュータが扱うデータの最小単位で、２進数で表され、１ビットで２通りの状態を表すことができる。
【数１】
2008140435.tif 000003
【００３６】
録画モード３４２４（ＳＰモードのとき）のビット・レートが８Ｍｂｐｓとすると、一時間の番組の録画に必要な容量Ｖ１は、（１）から次のように算出される。
【数２】
2008140435.tif 000004
【００３７】
記憶部３４としてのＨＤＤの容量は、一般的にｂｙｔｅで表される。１ｂｉｔは、８ｂｙｔｅであると一般的に定義されているので、８Ｍｂｐｓは、１Ｍｂｙｔｅとなる。また、１時間は、３６００秒であるから、１時間の番組の録画に必要な容量Ｖ１は、（２）にそれらを代入して算出することができる。
【数３】
2008140435.tif 000005
【００３８】
（３）から、Ｖ１は、３６００Ｍｂｙｔｅとなる。ＨＤＤの容量は、Ｇｂｙｔｅで表されるので、１Ｍｂｙｔｅが２-１０Ｇｂｙｔｅであるので、これを計算すると、Ｖ１はおよそ３．５Ｇｂｙｔｅとなる。よって、１時間の番組の録画に必要な容量Ｖ１すなわちディスク消費容量３４３３は、録画モード３４２４のビット・レートが８Ｍｂｐｓのとき、およそ３．５Ｇｂｙｔｅとなる。
【００３９】
残容量算出部４０１は、上記の計算を、一例として一ヶ月先まで、図５における予約３４３０に繰り返し行い、ディスク消費容量３４３３を算出する。
【００４０】
また、残容量算出部４０１は、予約３４３０に対応した記憶部３４の残容量とディスク消費容量３４３３との差分を算出し（Ｓ２）、ディスク残容量３４３４を算出し、ディスク残容量情報３４３を更新して、記憶部３４に記憶させる。
【００４１】
残容量算出部４０１は、ディスク残容量情報３４３から、録画予約を実行できない予約３４３０を検出し、ディスク残容量３４３４が、ゼロになる日時を「２００６／８／２９  ２２：２１」と算出する（Ｓ３）。
【００４２】
制御部３３は、ディスク残容量情報３４３と検出されたゼロになる日時とに基づいて、ディスク残容量表示情報を作成し、出力部３７からモニタ２に送信し、モニタ２は、表示画面２０に図６に示すように、実行されない録画予約を斜線付きで表示させ（Ｓ４）、また、ディスク残容量表示６０も同時に表示させる。
【００４３】
ディスク残容量３４３４が不足して、実行できない録画予約は、図６に示すように、斜線または反転して表示されるので、ユーザは、ディスク残容量３４３４の不足を判断し易い。
【００４４】
ユーザが、新規の録画予約を追加したとき（Ｓ５；Ｙｅｓ）、残容量算出部４０１は、ステップ２に戻って追加した録画予約された番組の録画データ３４１の容量を算出する。
【００４５】
ステップ５において、ユーザが、新規の録画予約を追加しなかったとき（Ｓ５；Ｎｏ）、録画予約の登録システムが終了されるまでステップ５を確認し（Ｓ６；Ｎｏ）、ユーザが、録画予約の登録システムを終了するとき（Ｓ６；Ｙｅｓ）、動作を終了する。
【００４６】
（ディスク残容量不足報告期日の登録）
ユーザは、リモコンまたは、録画再生装置３の入力部３１を操作して、タイミングとしてのディスク残容量不足報告期日の登録を行う（Ｓ１０）。
【００４７】
制御部３３は、入力部３１からの入力信号に基づいて、報告期日情報３４４を作成し、記憶部３４に記憶させる。
【００４８】
制御部３３は、ディスク残容量不足報告期日が来たとき（Ｓ１１）、ユーザが、番組を視聴中であっても、ディスク残容量情報３４３と検出されたゼロになる日時とに基づいて、ディスク残容量表示情報を作成し、出力部３７からモニタ２に出力し、モニタ２は、ディスク残容量表示６０を表示画面２０に表示し（Ｓ１２）、ユーザが、確認して表示を消す操作、若しくは、録画再生装置３の電源を切るまで、表示を続ける。
【００４９】
ここで、モニタ２は、ディスク残容量表示６０を表示画面２０に表示するとしたが、制御部３３は、ディスク残容量情報３４３に基づいて、グラフ情報を作成し、図７に示すグラフとディスク残容量表示６０とを表示画面２０に表示させるようにしても良い。
【００５０】
ユーザは、図７に示すグラフとディスク残容量表示６０とを見ることで、より明確にディスクの残容量の変化が理解でき、容量不足による録画予約の不実行を回避することができる。
【００５１】
本実施の形態では、ディスク残容量表示６０を表示画面２０に表示させたが、録画再生装置３の情報表示部３６に表示させるようにしても良いし、これに限定されない。更に、制御部３３が、ディスク残容量不足報告期日が来たとき、ディスク残容量表示６０を表示画面２０に表示させたが、図７のグラフのみを表示させても良いし、どちらを表示させるかユーザが選択できるようにしても良いし、これに限定されない。また、メール等を用いて検出されたゼロになる日時をユーザに通知するようにしても良い。
【００５２】
（本実施の形態の効果）
ユーザが、録画予約を登録するとき、いつまで録画予約が実行できるのかを知ることができ、更に、ディスク残容量３４３４がグラフとしても表示できるので、いつまで録画予約が実行できるのかを確実に知ることができる。また、ユーザが、ディスク残容量不足報告期日を登録することによって、番組視聴中であってもディスク残容量表示６０やグラフが表示画面２０等に表示されるので、いつまで録画予約が実行できるのか、また、どの位ディスク残容量が不足しているのかをより確実に知ることができる。よって、録画予約した番組を録画できない不都合を回避することができる。
【００５３】
なお、本発明は、上記した実施の形態に限定されず、本発明の技術思想を逸脱あるいは変更しない範囲内で種々の変形が可能である。
【図面の簡単な説明】
【００５４】
【図１】本発明の実施の形態に係る録画再生システムの概略図である。
【図２】本発明の実施の形態に係る録画再生装置のブロック図である。
【図３】本発明の実施の形態に係る制御部によって実行されるソフトウェアのブロック図である。
【図４】本発明の実施の形態に係る録画予約情報の一例を表す図である。
【図５】本発明の実施の形態に係るディスク残容量情報の一例を表す図である。
【図６】本発明の実施の形態に係るモニタに録画予約の一覧を表示させた一例を表す図である。
【図７】本発明の実施の形態に係るディスク残容量のグラフ表示の一例を表す図である。
【図８】本発明の実施の形態に係るディスク残容量がゼロになる日時の表示に関するフローチャートである。
【図９】本発明の実施の形態に係るディスク残容量不足報告期日に関するフローチャートである。
【符号の説明】
【００５５】
１・・・録画再生システム、２・・・モニタ、３・・・録画再生装置、４・・・アンテナ、５・・・インターネット、２０・・・表示画面、３０・・・受信部、３１・・・入力部、３２・・・通信部、３３・・・制御部、３４・・・記憶部、３５・・・録画再生部、３６・・・情報表示部、３７・・・出力部、６０・・・ディスク残容量表示、６１・・・予約番組一覧、３４０・・・ソフトウェア、３４１・・・録画データ、３４２・・・録画予約情報、３４３・・・ディスク残容量情報、３４４・・・報告期日情報、４００・・・録画予約部、４０１・・・残容量算出部、４１０・・・オペレーティングシステム、４２０・・・受信ドライバ、４２１・・・入力ドライバ、４２２・・・通信ドライバ、４２３・・・メディアドライバ、４２４・・・コーデックドライバ、４２５・・・表示ドライバ、４２６・・・出力ドライバ、３４２０・・・予約番号、３４２１・・・チャンネル、３４２２・・・録画タイトル名、３４２３・・・予約形態、３４２４・・・録画モード、３４３０・・・予約、３４３１・・・参照予約番号、３４３２・・・予約実行日時、３４３３・・・ディスク消費容量、３４３４・・・ディスク残容量、４０００・・・アプリケーション群、４２００・・・ドライバ群、４３００・・・デバイス群、Ｖ・・・録画データの容量、Ｖ１・・・一時間の番組の録画に必要な容量
【図１】
2008140435.tif 000006
【図２】
2008140435.tif 000007
【図３】
2008140435.tif 000008
【図４】
2008140435.tif 000009
【図５】
2008140435.tif 000010
【図６】
2008140435.tif 000011
【図７】
2008140435.tif 000012
【図８】
2008140435.tif 000013
【図９】
2008140435.tif 000014